(57)【要約】【課題】窓近傍の所定位置に着脱可能，かつ位置調節可能な取り付け具で固定するとともに，スクリーンを引き出して，先端部に構成される吸着解除機能を有する吸盤構造の止め具により，窓ガラスならびに吸着可能材にスクリーンを引き出して吸着止めすることにより，スクリーンを任意の高さ，幅に設定可能，かつ，止め具を窓ガラスに吸着止めした場合は，窓の開閉に対してスクリーンの連動が可能な小型，軽量，低価格なロールブラインドを提供する。【解決手段】窓近傍の所定位置に着脱可能，かつ位置調節可能な取り付け具で固定するとともに，スクリーンを引き出して，先端部に構成される吸着解除機能を有する吸盤構造の止め具により，窓ガラスならびに吸着可能材に吸着止めすることにより，スクリーンを任意の高さ，幅に設定可能，かつ，止め具を窓ガラスに吸着止めした場合は，窓の開閉に対してスクリーンの連動が可能なロールブラインド。【選択図】図１
0003130633.tif 000002
【実用新案登録請求の範囲】
【請求項１】
引き出し，巻き取りが可能なロール構造のブラインドに関し，窓近傍の所定位置に着脱自在，かつ位置調節可能な取り付け具で取り付けるとともに，スクリーンを引き出して，先端部に構成される吸着解除機能を有する吸盤構造の止め具により，窓ガラスならびに吸着可能材に吸着止めすることにより，スクリーンを窓の任意の高さ，幅に設定可能，かつ，止め具を窓ガラスに吸着止めした場合は，窓の開閉に対してスクリーンの連動が可能な小型，軽量，低価格なロールブラインド。
【考案の詳細な説明】
【技術分野】
【０００１】ロール構造のブラインドに関し，窓近傍の所定位置に着脱可能，かつ位置調節可能な取り付け具で取り付けるとともに，スクリーンを引き出して，先端部に構成される吸着解除機能を有する吸盤構造の止め具により，窓ガラスならびに吸着可能材にスクリーンを吸着止めすることにより，スクリーンを窓の任意の高さ，幅に設定可能なロールブラインド。
【背景技術】
【０００２】一般的なブラインドは窓枠の上部に固定されて，ブラインド片を上下に移動，開閉する構造であるか，ロール構造のスクリーンを上下に引き出し，スクリーンを巻き戻す構造である。ブラインドは太陽の日差しを遮光したり，外から覗かれることを防ぐために使用されるため，遮蔽する必要の有る部分は一様ではないとともに，窓全面を遮蔽しなければならないとは限らず一部は開放されていることが必要な場合も有るが，従来のブラインドは，いずれの構造も窓の任意の部分を遮蔽することは出来ない。また，窓を開閉した場合に遮蔽部分が窓に連動して開閉できると，ブラインドを操作せずに窓の外を確認できるなど，種々のメリットがあるが，従来のブラインド構造では不可能であるなど，従来のブラインドは利用面における制約が大きい欠点を有している。
【考案が解決しようとする課題】
【０００３】窓近傍の所定位置に着脱可能，かつ位置調節可能な取り付け具で取り付けるとともに，スクリーンを引き出して，先端部に構成される吸着解除機能を有する吸盤構造の止め具により，窓ガラスならびに吸着可能材にスクリーンを引き出して吸着止めすることにより，スクリーンを任意の高さ，幅に設定可能，かつ，止め具を窓ガラスに吸着止めした場合は，窓の開閉に対してスクリーンの連動が可能な小型，軽量，低価格なロールブラインドを提供する。
【課題を解決するための手段】
【０００４】窓近傍の所定位置に着脱可能，かつ位置調節可能な取り付け具で取り付けるとともに，スクリーンを引き出して，先端部に構成される吸着解除機能を有する吸盤構造の止め具により，窓ガラスならびに吸着可能材に吸着止めすることにより，スクリーンを任意の高さ，幅に設定可能，かつ，止め具を窓ガラスに吸着止めした場合は，窓の開閉に対してスクリーンの連動が可能なロールブラインド。
【考案の効果】
【０００５】窓の任意の部分を遮蔽することが出来るとともに，止め具を窓ガラスに吸着止めした場合は，スクリーンが窓の開閉に連動するため，ブラインドを操作せずに窓の外を確認できるなど，従来のブラインドにおける利用面の制約が解決された，小型，軽量，低価格なロールブラインド。
【考案を実施するための最良の形態】
【０００６】図４はロールブラインドの構成図を示し，ホルダー７，ロール部８，スクリーン３，吸盤構造の止め具４，取り付け具に固定する引っ掛け材９で構成され，ロール部のスクリーンを引き出すことにより，捩りコイルスプリングによる蓄勢手段に回転を蓄勢させ，その蓄勢力によりスクリーンをロール部に巻き取らせる構造である。捩りコイルスプリングの一端はロール部に繋がれ，他端はホルダーに繋がれている。一般的なブラインドは，スプリングの蓄勢力を調整するための調整構造や，スクリーンを引き出し途中で一時停止させるための回転規制構造を備えるものが多いが，本考案の使用形態では，スクリーンは窓の高さ全体をカバーする必要は無く，例えば窓高さの１／３程度の幅が有れば良く，手の届く範囲での操作，開閉には窓の重さが加重されることなどから，かかる複雑な構造を必要としないため，極めて小型，軽量，低価格が実現される。【０００７】図１における１．１は，屋内内側の窓１の右側部の所定の高さに，取り付け具にロールブラインド２を取り付け，スクリーン３を引き出して，スクリーンを先端の吸盤による止め具４で窓ガラスに吸着止めした例を示す。この状態で窓を開いた場合は，１．２に示すように，スクリーンは窓ともに連動して動き，窓の開口部は，スクリーンで遮蔽される。図２は，止め具４を窓の左側部の吸着可能材に吸着止めした場合であり，窓はスクリーンに影響されずに開閉が出来る。２．１は窓が閉められた状態を示し，２．２は窓を開けた状態を示す。図３は取り付け具によりロールブラインド２を窓の左側部に取り付け，３．１はスクリーンの止め具４を窓ガラスに吸着止めした場合を示す。３．２は窓を開いた状態を示し，スクリーンは窓と連動して開き，開口状態となる。以上に例を示す如く，着脱自在，かつ取り付け位置が調整可能な取り付け具にロールブラインドを取り付け，かつスクリーンを吸盤で窓ガラスまたは吸着可能材に吸着止めするため，スクリーンは取り付け高さ，幅に関しては任意であり，制約の多い従来のブラインドとは比較にならないほど広範な用途，使い方に対応できる。【０００８】ロールブラインドを任意の位置に着脱自在に取り付けるための取り付け具は図５に示されるように，ロールブラインドの引っ掛け材９を固定するための鉄板などの金属材からなるスライドスリット１０，固定ネジ１１，固定保持板１２，ならびに壁などへの取り付け用の接着材１４で構成される。ロールブラインドの引っ掛け材は，固定ネジで固定保持板１２を介して取り付け具に固定される。固定位置は固定ネジ，ならびにスライドスリットにより任意に設定可能である。また，本例では取り付け具には，表面の平滑度を高めた吸着可能面１３が構成されているため，取り付け具は吸着可能材も兼ねており，取り付け具を窓の左右両側に取り付けておけば，ロールブラインドを窓の左右どちらの側にも取り付けて使用することが出来る。また，ロールブラインドの取り付け可能な高さは，取り付け具のサイズで決まるため，取り付け具は適切な長さが必要となるが，複数の取り付け具を連結して所要の長さを確保することも可能である。【０００９】図６はスクリーンの止め具４を示す。合成樹脂からなるスクリーン先端部材に，ポリ塩化ビニールやポリエチレンなどの合成樹脂またはゴムなどから構成され，吸着を解除するために吸盤内を細管で貫通する空気抜き穴の密閉栓６を備えた吸盤５が取り付けられており，密閉栓を閉めた状態で吸盤を押さえて吸着し，密閉栓を開けば吸盤内に空気が流入して吸着が解除される，極めて簡単な操作でスクリーンの着脱が出来る。
【実施例】
【００１０】ブラインドの使用形態は，太陽の光などを遮光するためには窓の上部〜中部を，外からの覗きを遮蔽するためには窓の下部〜中部を遮蔽すれば良く，かつ覆われる部分が広いほど鬱陶しく感じる。このため，スクリーンの幅は窓の高さの１／３程度で良く，本実施例では，６０ｃｍとし，引き出し最大長を１４０ｃｍとした。一般的なブラインドは，スプリングの蓄勢力を調整するための調整構造や，スクリーンを引き出し途中で一時停止させるための回転規制構造を備えるものが多いが，本考案の使用形態では，スクリーンサイズが小型であり，手の届く範囲での操作，開閉には窓の重さが加重されることなどから，かかる複雑な構造を必要としないため，極めて小型，軽量，低価格が実現されるが，調整構造を組み込むことも可能であり，調整構造としては単純なブレーキ構造やクラッチスプリングを使用すれば実現できる。ただし，回転規制構造は備えなくても実用上の支障は無い。ブラインドの取り付け具としては，ファスナーや磁石など他の材料を利用して構成することも可能である。スクリーン止め具に関しても，吸盤ではなく粘着ゴムを使用することもできる。また，吸着可能材として特別な部材を用いなくても，表面の平滑度の高い壁面などを利用することも出来る。実施例では，横スライド窓を例としたが，縦スライド窓にも同様に適用できるなど，本考案の請求範囲を逸脱しない範囲であれば種々変形実施が可能である。
【図面の簡単な説明】
【００１１】
【図１】本考案によるロールブラインドの第一の使用例の概念図を示す。
【図２】本考案によるロールブラインドの第二の使用例の概念図を示す。
【図３】本考案によるロールブラインドの第三の使用例の概念図を示す。
【図４】本考案によるロールブラインドの構成概念図を示す。
【図５】取り付け具の概観図を示す。
【図６】止め具，ならびに吸盤の概観図を示す。
【符号の説明】
１  窓ガラス
２  ロールブラインド
３  スクリーン
４  止め具
５  吸盤
６  空気抜き穴の密閉栓
７  ホルダー
８  ロール部
９  引っ掛け材
１０  スライドスリット
１１  固定ネジ
１２  固定保持板
１３  吸着可能面
１４  接着材
【図１】
0003130633.tif 000003
【図２】
0003130633.tif 000004
【図３】
0003130633.tif 000005
【図４】
0003130633.tif 000006
【図５】
0003130633.tif 000007
【図６】
0003130633.tif 000008